(57)【特許請求の範囲】
【請求項１】
ドア枠に取り付けられるドアの直上部分を仕切る上部パネルと、
前記上部パネルを、前記ドア枠の上部に開閉可能に取り付ける左右一対の開閉用金具と、
前記ドア枠を構成している上枠と
を備え、
前記開閉用金具は、
前記ドア枠を構成している縦枠に取り付けられる縦枠取付部材と、
前記上部パネルに取り付けられるパネル取付部材と、
前記上枠に取り付けられる上枠取付部材と
を有し、
前記開閉用金具の前記パネル取付部材を前記上部パネルの側面に取り付けると共に、前記開閉用金具の前記上枠取付部部材を前記上枠の下面に取り付けることで、前記上枠と前記上部パネルとが、前記開閉用金具を介して、予め連結されていることを特徴とする上部パネルユニット。
【請求項２】
前記上枠に前記開閉用金具を介して連結された前記上部パネルが、前記上枠に対して回動するように、前記開閉用金具は、前記上枠取付部材が前記縦枠取付部材に回動可能に支持されている請求項１に記載の上部パネルユニット。
【請求項３】
前記上枠の両端部には、前記縦枠に取り付けられた連結ピンに係合することで、前記上枠を前記縦枠に連結する引き独鈷金具が取り付けられている請求項１または２に記載の上部パネルユニット。
【請求項４】
前記上枠の両端部には、前記縦枠に取り付けられた連結ピンに係合することで、前記縦枠を引き付けた状態で、前記上枠を前記縦枠に連結する引き独鈷金具が取り付けられている請求項１または２に記載の上部パネルユニット。
【請求項５】
ドア枠に取り付けられるドアの直上部分を仕切る上部パネルを、前記ドア枠の上部に開閉可能に取り付ける開閉用金具であって、
前記ドア枠を構成している縦枠に取り付けられる縦枠取付部材と、
前記上部パネルに取り付けられる、前記縦枠取付部材に回動可能に支持されたパネル取付部材と、
前記上枠に取り付けられる上枠取付部材と
を備え、
前記縦枠に連結されていない前記上枠に前記上枠取付部材を取り付けると共に、前記上部パネルに前記パネル取付部材を取り付けた状態で、前記上部パネルが前記上枠に対して回動するように、前記上枠取付部材が前記縦枠取付部材に回動可能に支持されていることを特徴とする開閉用金具。
【発明の詳細な説明】
【技術分野】
【０００１】
この発明は、ドアの上側に上部パネルを開閉可能に取り付ける場合に有利な上部パネルユニット及びその上部パネルユニットに好適な開閉用金具に関する。
【背景技術】
【０００２】
例えば、縦枠が天井面まで立ち上がるドア枠には、ドアの直上部分を仕切る上部パネルを取り付けることになるが、風通しをよくするために、上部パネルを開閉させたい場合があり、その場合は、横滑り出し窓と同様に、「ほいとこ」と呼ばれる左右一対の開閉用金具を介して、上部パネルをドア枠に取り付けることになる。
【０００３】
こういった開閉用金具は、縦枠にビス止めする、上下方向に延びるスライドレール及びこのスライドレールに沿って昇降するスライダとを有する縦枠取付部材と、上部パネルの側面にビス止めするパネル取付部材とを備えており、パネル取付部材の上端部が縦枠取付部材のスライダにピン結合されると共に、パネル取付部材の中間部及び縦枠取付部材の下端部が、リンクの両端部にそれぞれピン結合されることで、パネル取付部材が、縦枠取付部材に重なり合った位置と下端部を跳ね上げた位置との間で回動するように、縦枠取付部材に支持されている。
【０００４】
従って、こういった開閉用金具を用いて、壁面開口部に設置されたドア枠に上部パネルを開閉可能に取り付けるには、まず、一対の開閉用金具のパネル取付部材を上部パネルの側面にそれぞれビス止めした後、パネル取付部材の下端部を跳ね上げることによって、即ち、上部パネルを開方向に傾けることによって、縦枠取付部材を露出させた状態で、縦枠取付部材をドア枠の縦枠の所定位置にビス止めすることになる。
【先行技術文献】
【特許文献】
【０００５】
【特許文献１】実開昭６１−１５７６７９号公報
【発明の概要】
【発明が解決しようとする課題】
【０００６】
しかしながら、上述したような方法で上部パネルをドア枠に取り付ける場合、傾けた状態の上部パネルを支えながら、一方の開閉用金具の縦枠取付部材を所定位置に位置決めした状態で一方の縦枠にビス止めし、その後も、傾けた状態の上部パネルを支えながら、他方の開閉用金具の縦枠取付部材を所定位置に位置決めした状態で他方の縦枠にビス止めする必要があるので、作業者が一人で取り付けることは難しく、上部パネルの取り付けに手間と時間がかかるといった問題がある。
【０００７】
また、一方の開閉用金具の縦枠取付部材を一方の縦枠にビス止めした後、他方の開閉用金具の縦枠取付部材のビス止め作業に移行する際、手で支えている上部パネルの姿勢を維持することができずに、上部パネルにおける他方の開閉用金具側の端部が上下に動いてしまうと、縦枠にビス止めされている一方の開閉用金具が変形したり、損傷したりするといった問題もある。
【０００８】
そこで、この発明の課題は、開閉可能な上部パネルを取り付けたドア枠を作業者一人で簡単に設置することができるようにすることにある。
【課題を解決するための手段】
【０００９】
上記の課題を解決するため、請求項１に係る発明は、ドア枠に取り付けられるドアの直上部分を仕切る上部パネルと、前記上部パネルを、前記ドア枠の上部に開閉可能に取り付ける左右一対の開閉用金具と、前記ドア枠を構成している上枠とを備え、前記開閉用金具は、前記ドア枠を構成している縦枠に取り付けられる縦枠取付部材と、前記上部パネルに取り付けられるパネル取付部材と、前記上枠に取り付けられる上枠取付部材とを有し、前記開閉用金具の前記パネル取付部材を前記上部パネルの側面に取り付けると共に、前記開閉用金具の前記上枠取付部部材を前記上枠の下面に取り付けることで、前記上枠と前記上部パネルとが、前記開閉用金具を介して、予め連結されていることを特徴とする上部パネルユニットを提供するものである。
【００１０】
また、請求項２に係る発明は、請求項１に係る発明の上部パネルユニットにおいて、前記上枠に前記開閉用金具を介して連結された前記上部パネルが、前記上枠に対して回動するように、前記開閉用金具は、前記上枠取付部材が前記縦枠取付部材に回動可能に支持されていることを特徴としている。
【００１１】
また、請求項３に係る発明は、請求項１または２に係る発明の上部パネルユニットにおいて、前記上枠の両端部には、前記ドア枠を構成している縦枠に取り付けられた連結ピンに係合することで、前記上枠を前記縦枠に連結する引き独鈷金具が取り付けられていることを特徴としている。
【００１２】
また、請求項４に係る発明は、請求項１または２に係る発明の上部パネルユニットにおいて、前記上枠の両端部には、前記ドア枠を構成している縦枠に取り付けられた連結ピンに係合することで、前記縦枠を引き付けた状態で、前記上枠を前記縦枠に連結する引き独鈷金具が取り付けられていることを特徴としている。
【００１３】
また、請求項５に係る発明は、ドア枠に取り付けられるドアの直上部分を仕切る上部パネルを、前記ドア枠の上部に開閉可能に取り付ける開閉用金具であって、前記ドア枠を構成している縦枠に取り付けられる縦枠取付部材と、前記上部パネルに取り付けられる、前記縦枠取付部材に回動可能に支持されたパネル取付部材と、前記上枠に取り付けられる上枠取付部材とを備え、前記縦枠に連結されていない前記上枠に前記上枠取付部材を取り付けると共に、前記上部パネルに前記パネル取付部材を取り付けた状態で、前記上部パネルが前記上枠に対して回動するように、前記上枠取付部材が前記縦枠取付部材に回動可能に支持されていることを特徴とする開閉用金具を提供するものである。
【発明の効果】
【００１４】
以上のように、請求項１に係る発明の上部パネルユニットは、開閉用金具のパネル取付部材を上部パネルの側面に取り付けると共に、開閉用金具の上枠取付部材を上枠の下面に取り付けることで、上枠と上部パネルとが、開閉用金具を介して、予め連結されているので、壁面開口部にドア枠を設置した時点で、既に、上部パネルが上枠から吊り下げられた状態になっている。従って、開閉用金具の縦枠取付部材を縦枠に取り付ける際、傾けた上部パネルを支える必要がなく、作業者が一人でも簡単に上部パネルをドア枠に取り付けることができる。
【００１５】
また、請求項２に係る発明の上部パネルユニットは、上枠に開閉用金具を介して連結された上部パネルが、上枠に対して回動するように、開閉用金具は、上枠取付部材が縦枠取付部材に回動可能に支持されているので、上枠に開閉用金具を介して連結された上部パネルを上枠に対して回動させることで、上部パネルに上枠を重ね合わせたコンパクトな状態で、上部パネルユニットを保管したり、輸送したりすることができると共に、その状態では、開閉用金具に無理な力がかかることがなく、保管時や輸送時に開閉用金具が変形したり、損傷したりすることもない。
【００１６】
また、請求項３、４に係る発明の上部パネルユニットは、上枠の両端部に、ドア枠を構成している縦枠に取り付けられた連結ピンに係合させることで、上枠を縦枠に連結する引き独鈷金具が取り付けられているので、壁面開口部内でドア枠を組み立てる際、縦枠を壁面開口部の両側面に仮固定した後、縦枠に取り付けられた連結ピンを上枠に取り付けられた引き独鈷金具に係合させることで、左右一対の縦枠と上枠とが即座に連結される。従って、縦枠の垂直を調整するだけで、上枠と縦枠との連結部分が直角となり、上枠の固定は目視で水平を確認しながら行えばよく、寸法出しの必要もないので、上枠に開閉用金具を介して上部パネルが連結されていても、簡単にドア枠を組み立てることができる。
【００１７】
また、請求項５に係る発明の開閉用金具は、横滑り出し窓等に使用される一般的な開閉用金具とは異なり、上枠に取り付けられる上枠取付部材を備えているので、この開閉用金具を用いれば、予め、上部パネルを上枠に連結してなる上部パネルユニットを形成することができ、しかも、縦枠に連結されていない上枠に上枠取付部材を取り付けると共に、上部パネルにパネル取付部材を取り付けた状態で、上部パネルが上枠に対して回動するように、上枠取付部材が縦枠取付部材に回動可能に支持されているので、上部パネルを上枠に対して回動させることで、上枠に上部パネルを重ね合わせたコンパクトな状態で、上部パネルユニットを保管したり、輸送したりすることができると共に、その状態では、開閉用金具に無理な力がかかることがなく、保管時や輸送時に開閉用金具が変形したり、損傷したりすることもない。
【図面の簡単な説明】
【００１８】
【図１】この発明に係る上部パネルユニットの一実施形態を用いて組み立てたドア枠にドアを取り付けた状態を示す正面図である。
【図２】（ａ）は図１のＸ−Ｘ線に沿った断面図、（ｂ）は（ａ）における上部パネルを開いた状態を示す断面図である。
【図３】図１のＹ−Ｙ線に沿った断面図である。
【図４】同上の上部パネルユニットを示す斜視図である。
【図５】（ａ）は同上の上部パネルユニットを示す平面図、（ｂ）は同上の上部パネルユニットを示す正面図、（ｃ）は同上の上部パネルユニットを示す底面図である。
【図６】同上の上部パネルユニットを示す側面図である。
【図７】同上の上部パネルユニットにおける上部パネルを開いた状態を示す側面図である。
【図８】同上の上部パネルユニットにおける上部パネルを開いた状態を上から視た斜視図である。
【図９】同上の上部パネルユニットにおける上部パネルを開いた状態を下から視た斜視図である。
【図１０】（ａ）は同上の上部パネルユニットに使用されている開閉用金具を示す側面図、（ｂ）は（ａ）におけるパネル取付部材を跳ね上げた状態を示す側面図である。
【図１１】（ａ）は同上の上部パネルユニットに使用されている開閉用金具を示す斜視図、（ｂ）は（ａ）におけるパネル取付部材を跳ね上げた状態を示す斜視図である。
【図１２】（ａ）、（ｂ）は、開閉用金具における縦枠取付部材に対する上枠取付部材の取付状態を説明するための説明図である。
【図１３】同上の上部パネルユニットの端部を示す部分拡大斜視図である。
【図１４】（ａ）は縦枠への上枠の取り付け前の状態を示す平面図、（ｂ）は縦枠に上枠を取り付けた状態を示す平面図である。
【図１５】（ａ）、（ｂ）は同上のドア枠の組立・設置工程を説明するための工程図である。
【図１６】（ａ）は同上の上部パネルユニットの輸送・保管時の状態を示す平面図、（ｂ）は同上の上部パネルユニットの保管・輸送時の状態を示す正面図、（ｃ）は同上の上部パネルユニットの輸送・保管時の状態を示す側面図である。
【図１７】引き寄せ機能を備えていない引き独鈷金具が取り付けられた上枠の端部を示す部分平面図である。
【発明を実施するための形態】
【００１９】
以下、実施の形態について図面を参照して説明する。図１、図２（ａ）、（ｂ）及び図３は、天井面まで立ち上がったドア枠１０にドアＤを取り付けた状態を示している。このドア枠１０は、天井面まで立ち上がる、左右一対の縦枠１１、１１と、この縦枠１１、１１をその上端部で連結する上枠１２とから構成されており、このドア枠１０には、ドアＤの上側の空間を仕切る、開閉可能な上部パネル２０が取り付けられている。なお、縦枠１１、１１、上枠１２及び上部パネル２０は、木質材料によって形成されており、縦枠１１、１１及び上枠１２には、合成樹脂等によって形成された戸当り１３が取り付けられている。
【００２０】
前記上部パネル２０は、図４〜図９に示すように、ドア枠１０を構成している上枠１２に予め取り付けられた上部パネルユニット１として、一対の縦枠１１、１１と共に供給されるようになっており、上部パネル２０は、開閉用金具３０を介して、上枠１２の短手方向の一端側における下面に開閉可能に取り付けられている。
【００２１】
前記開閉用金具３０は、図１０（ａ）、（ｂ）及び図１１（ａ）、（ｂ）に示すように、ドア枠１０の縦枠１１に取り付けられる縦枠取付部材３１と、上部パネル２０の側面に取り付けられる、フラットバーからなるパネル取付部材３５と、上枠１２の下面に取り付けられる鉤形の上枠取付部材３７とから構成されており、パネル取付部材３５及び上枠取付部材３７は、縦枠取付部材３１に支持されている。
【００２２】
前記縦枠取付部材３１は、幅広の外側板３２Ａと幅狭の内側板３２Ｂとが一方の側縁で連結板３２Ｃによって相互に連結された基部３２と、この基部３２における外側板３２Ａと内側板３２Ｂとの間に設けられた上下方向に延びるスライドレール３３と、このスライドレール３３に沿って昇降するスライダ３４とから構成されており、外側板３２Ａには、縦枠１１にビス止めするための複数のビス孔３２Ａａが形成されている。
【００２３】
前記パネル取付部材３５は、その上端部が縦枠取付部材３１のスライダ３４にピン結合されていると共に、その中間部が、一端を基部３２の下端部にピン結合してなるリンク３６の他端にピン結合されることで、スライダ３４と共に昇降する上端部を支点として回動するようになっており、スライドレール３３に対するスライダ３４のスライド抵抗によって、取り付けた上部パネル２０の自重に打ち勝って、回動範囲内の任意の位置で停止するようになっている。
【００２４】
また、このパネル取付部材３５にも複数のビス孔３５ａが形成されており、パネル取付部材３５が上部パネル２０の側面から突出しないように、上部パネル２０の側面に形成された彫込凹部２１に嵌め込んだ状態でビス止めされている。
【００２５】
前記上枠取付部材３７は、上枠１２の下面にビス止めするための２個のビス孔３８ａが形成されたビス止め片３８と、このビス止め片３８に連設された支持片３９とから構成されており、図１２（ａ）、（ｂ）に示すように、この上枠取付部材３７を上枠１２に、パネル取付部材３５を上部パネル２０にそれぞれビス止めした状態で、上部パネル２０が上枠１２に対して回動するように、支持片３９が縦枠取付部材３１における内側板３２Ｂの上端部に回動可能に支持されている。
【００２６】
前記上枠１２は、図１３に示すように、上面側の長手方向の両端角部が切除されており、この切除部の側端面１２ａに、図１４（ａ）、（ｂ）に示すように、縦枠１１に取り付けられた２本の連結ピン４１、４１の大径の頭部４１ａ、４１ａに係合することで、縦枠１１を引き付けた状態で、上枠１２を縦枠１１に連結する引き独鈷金具４２が取り付けられており、上枠１２の下面には、戸当り１３を取り付けるための２本の溝１２ｂ、１２ｂが形成されている（図５（ｃ）参照）。
【００２７】
前記引き独鈷金具４２は、連結ピン４１、４１の大径の頭部４１ａ、４１ａに係合する面が、連結ピン４１、４１の進入方向に向かって金具の取付面側に徐々に接近するように、係合部４２ａ、４２ａを傾斜させてあり、連結ピン４１、４１を係合部４２ａ、４２ａに進入させるに従って、縦枠１１が上枠１２側に引き付けられるようになっている。
【００２８】
以上のように構成されたドア枠１０は、以下のようにして組み立てられる。まず、図１５（ａ）に示すように、左右一対の縦枠１１、１１を、壁面開口部を形成している縦桟木５１、５１に木ねじによって仮止めした後、図１４（ａ）、（ｂ）に示すように、縦枠１１に取り付けられた２本の連結ピン４１、４１を、上部パネル２０の上枠１２に取り付けられた引き独鈷金具４２に係合させることで、図１５（ｂ）に示すように、左右一対の縦枠１１、１１の上端部同士を、上部パネルユニット１（上枠１２）によって相互に連結する。
【００２９】
次に、上枠１２の水平を目視で確認しながら、壁面開口部を構成している横桟木５２と上枠１２との間に隙間調整部材を適宜挿入することによって、上枠１２の位置調整を行い、横桟木５２に上枠１２を釘や木ねじによって固定する。
【００３０】
続いて、開閉用金具３０の縦枠取付部材３１を縦枠１１に取り付けることになるが、その際は、上部パネル２０を開く（傾ける）ことによって、外側板３２Ａに形成されたビス孔３２Ａａを露出させた状態で、外側板３２Ａを縦枠１１にビス止めする。なお、縦枠１１には、予め、所定位置に下孔が形成されており、この下孔と外側板３２Ａのビス孔３２Ａａとを一致させることによって、縦枠取付部材３１の位置決めを行う。
【００３１】
最後に、上部パネル２０を閉じて、上部パネル２０と縦枠１１との隙間に隙間埋め具を仮挿入した状態で、縦枠１１、１１が垂直になるように、壁面開口部を構成している縦桟木５１、５１と縦枠１１、１１との間に隙間調整部材を適宜挿入しながら、縦枠１１、１１の位置調整を行い、縦桟木５１、５１に縦枠１１、１１を釘や木ねじによって本固定する。
【００３２】
以上のように、この上部パネルユニット１は、開閉用金具３０のパネル取付部材３５を上部パネル２０の側面に取り付けると共に、開閉用金具３０の上枠取付部材３７を上枠１２の下面に取り付けることで、上枠１２と上部パネル２０とが、開閉用金具３０を介して、予め連結されているので、壁面開口部にドア枠１０を設置した時点で、既に、上部パネル２０が上枠１２から吊り下げられた状態になっている。従って、開閉用金具３０の縦枠取付部材３１を縦枠１１に取り付ける際、傾けた上部パネル２０を支える必要がなく、作業者が一人でも簡単に上部パネル２０をドア枠１０に取り付けることができる。
【００３３】
また、従来の方法では、一方の開閉用金具の縦枠取付部材を一方の縦枠にビス止めした後、他方の開閉用金具の縦枠取付部材のビス止め作業に移行する際、手で支えている上部パネルの姿勢を維持することができずに、上部パネルにおける他方の開閉用金具側の端部が上下に動いてしまうと、縦枠にビス止めされている一方の開閉用金具が変形したり、損傷したりすることがあるが、この上部パネルユニット１を使用すると、そういった問題が発生することもない。
【００３４】
また、この上部パネルユニット１は、上枠１２に開閉用金具３０を介して連結された上部パネル２０が、上枠１２に対して回動するように、開閉用金具３０は、上枠取付部材３７が縦枠取付部材３１に回動可能に支持されているので、上枠１２に開閉用金具３０を介して連結された上部パネル２０を上枠１２に対して回動させることで、図１６（ａ）〜（ｃ）に示すように、上部パネル２０に上枠１２を重ね合わせたコンパクトな状態で、上部パネルユニット１を保管したり、輸送したりすることができると共に、その状態では、開閉用金具３０に無理な力がかかることがなく、保管時や輸送時に開閉用金具３０が変形したり、損傷したりすることもない。
【００３５】
また、この上部パネルユニット１は、上枠１２の両端部に、ドア枠１０を構成している縦枠１１に取り付けられた連結ピン４１に係合させることで、上枠１２を縦枠１１に連結する引き独鈷金具４２が取り付けられているので、壁面開口部内でドア枠１０を組み立てる際、縦枠１１を壁面開口部の両側面に仮固定した後、縦枠１１に取り付けられた連結ピン４１を上枠１２に取り付けられた引き独鈷金具４２に係合させることで、左右一対の縦枠１１、１１と上枠１２とが即座に連結される。従って、縦枠１１の垂直を調整するだけで、上枠１２と縦枠１１との連結部分が直角となり、上枠１２の固定は目視で水平を確認しながら行えばよく、寸法出しの必要もないので、上枠１２に開閉用金具３０を介して上部パネル２０が連結されていても、簡単にドア枠１０を組み立てることができる。
【００３６】
なお、上述した実施形態では、縦枠１１の引付機能を有する引き独鈷金具４２を採用しているが、これに限定されるものではなく、例えば、図１７に示すように、係合部４２Ａａ、４２Ａａが傾斜しておらず、縦枠１１の引付機能を有していない引き独鈷金具４２Ａを採用することも可能である。
【００３７】
また、上述した実施形態では、上枠１２の両端部に引き独鈷金具４２を取り付けているが、これに限定されるものではなく、引き独鈷金具を省略することも可能である。ただし、引き独鈷金具を上枠に取り付けない上部パネルユニットを使用する場合は、上枠１２に引き独鈷金具４２を取り付けている上部パネルユニット１を使用する場合とは、ドア枠の組立・設置方法が異なる。以下、引き独鈷金具を上枠に取り付けない上部パネルユニットを使用する場合のドア枠の組立・設置方法について簡単に説明する。
【００３８】
まず、左右一対の縦枠を、壁面開口部を形成している縦桟木に仮止めした後、上枠を位置決めしながら、壁面開口部を形成している横桟木に上部パネルユニットを固定設置し、それぞれの縦枠を上部パネルユニットの両端部に連結した後、開閉用金具の縦枠取付部材を縦枠に取り付け、上部パネルと縦枠との隙間に隙間埋め具を仮挿入した状態で、縦枠が垂直になるように調整しながら、縦枠を壁面開口部の縦桟木に固定設置することになる。
【００３９】
また、上述した実施形態では、パネル取付部材３５の上端部が縦枠取付部材３１のスライダ３４にピン結合されていると共に、パネル取付部材３５の中間部が、一端を基部３２の下端部にピン結合してなるリンク３６の他端にピン結合されることで、スライダ３４と共に昇降する上端部を支点として回動するタイプの開閉用金具３０を使用しているが、これに限定されるものではなく、上部パネルに取り付けられるパネル取付部材がドア枠の縦枠に取り付けられる縦枠取付部材に回動可能に支持されており、取り付けた上部パネルの自重に打ち勝って、パネル取付部材が回動範囲内の任意の位置で停止するのであれば、例えば、ダンパ等を取り付けた開閉用金具等、種々のタイプの開閉用金具を使用することができる。ただし、いずれのタイプの開閉用金具を採用する場合も、上枠に取り付けるための上枠取付部材を備えていなければならないことはいうまでもない。
【産業上の利用可能性】
【００４０】
本発明の上部パネルユニットは、ドアの上側に上部パネルを開閉可能に取り付ける場合に利用することができる。
【符号の説明】
【００４１】
１  上部パネルユニット
１０  ドア枠
１１  縦枠
１２  上枠
１２ａ  側端面
１２ｂ  溝
１３  戸当り
２０  上部パネル
２１  彫込凹部
３０  開閉用金具
３１  縦枠取付部材
３２  基部
３３  スライドレール
３４  スライダ
３５  パネル取付部材
３６  リンク
３７  上枠取付部材
３８  ビス止め片
３９  支持片
４１  連結ピン
４１ａ  頭部
４２、４２Ａ  引き独鈷金具
４２ａ、４２Ａａ  係合部
５１  縦桟木
５２  横桟木
Ｄ  ドア
【図１】
0005552335.tif 000002
【図２】
0005552335.tif 000003
【図３】
0005552335.tif 000004
【図４】
0005552335.tif 000005
【図５】
0005552335.tif 000006
【図６】
0005552335.tif 000007
【図７】
0005552335.tif 000008
【図８】
0005552335.tif 000009
【図９】
0005552335.tif 000010
【図１０】
0005552335.tif 000011
【図１１】
0005552335.tif 000012
【図１２】
0005552335.tif 000013
【図１３】
0005552335.tif 000014
【図１４】
0005552335.tif 000015
【図１５】
0005552335.tif 000016
【図１６】
0005552335.tif 000017
【図１７】
0005552335.tif 000018